(57)【特許請求の範囲】
【請求項１】
透光材よりなり板状の形状をなし、第１の主面に四辺形の出光面を有し、該第１の主面と対向する第２の主面に光拡散手段を設けた導光部材と、該導光部材の側面に近接して配した光源とを有するエッジライト方式の面状光源ユニットにおいて、前記導光部材は前記出光面を有する部分に隣接して光路変換部分を有し、該光路変換部分に前記光源の出射光を屈折、反射する機能を有する１個以上の貫通孔又は盲孔を設け、前記光路変換部分の側面において前記光源と対向する部分の両側に反射部を設け、前記光路変換部分の平面形状は直角三角形の鋭頂角の一部を切り欠いて生じた辺を有する非対称な変形四辺形であり、前記切り欠いて生じた辺に対向して前記光源を配し、前記光路変換部分の側面の反射部は、前記直角三角形の鋭頂角を切り欠いて生じた辺の両側の前記導光部材の側面に設けられ、導光部材の厚み方向に略平行な略円弧状の複数の溝よりなることを特徴とする面状光源ユニット。
【請求項２】
前記光路変換部分の側面の前記反射部の略円弧状の溝は前記光源から遠くなるほど密に配置されていることを特徴とする請求項１に記載の面状光源ユニット。
【請求項３】
前記導光部材の前記出光面を有する部分の側面のうち、前記光源に近い一方の側面には、シボ又は複数個の半球状ドットのくぼみよりなる光散乱手段を設けたことを特徴とする請求項１又は請求項２に記載の面状光源ユニット。
【請求項４】
前記導光部材の第２の主面に設けた光拡散手段は、シボ又は複数個の半球状ドットのくぼみであることを特徴とする請求項１乃至請求項３のいずれかに記載の面状光源ユニット。
【請求項５】
前記導光部材において、前記四辺形の出光面を有する部分の長い方の辺に接続して、前記光路変換部分を設けたことを特徴とする請求項１乃至請求項４のいずれかに記載の面状光源ユニット。
【請求項６】
前記導光部材において、前記四辺形の出光面を有する部分の短い方の辺に接続して、前記光路変換部分を設けたことを特徴とする請求項１乃至請求項４のいずれかに記載の面状光源ユニット。
【請求項７】
前記光源はＬＥＤであることを特徴とする請求項１乃至請求項６のいずれかに記載の面状光源ユニット。
【請求項８】
請求項１乃至請求項７のいずれかに記載の面状光源ユニットを使用した表示装置において、前記導光部材の光路変換部分の前記光源と対向する部分の両側の側面のうちの長い方の側面に対向する位置に面状光源ユニット以外の他の部品を配置したことを特徴とする表示装置。
【発明の詳細な説明】
【０００１】
【発明の属する技術分野】
この発明は、透過型又は半透過型パネルを背面より照射するバックライト機構を有する表示装置の面状光源ユニットに関する。
【０００２】
【従来の技術】
近年、ブック型のワードプロセッサやコンピュータ、又は携帯電話器、携帯ＴＶのような小型、薄型の情報機器の表示装置として、薄型でしかも見易いバックライト機構を有する液晶表示装置が用いられている。このようなバックライト機構としは、液晶パネルを背後から全面にわたり照射する面状光源が用いられており、この面状光源としては線状の発光源である蛍光ランプと、その光束を液晶パネルを照射する面状の光束に変換する導光板よりなるものが一般的であったが、近年、更なる薄型と長寿命化を目的として線状の発光源として蛍光ランプの代わりに複数のＬＥＤ（発光ダイオード）を一列に配列したものが用いられるようになってきた。
【０００３】
図５および図６はこのような従来のバックライト機構の一例として、ＬＥＤ（発光ダイオード）アレイ光源を持つエッジライト方式のパネル用の面状光源ユニットを示す図であり、図５は斜視図、図６はその断面図である。図５および図６において、１１０は面状光源ユニットであり、導光部材１０１と光源として線状に配列した複数個のＬＥＤ１０２を有している。導光部材１０１は透明なプラスチック材等の透光部材よりなる板状で略直方体形状をしており、その一方の広い面を光出射面１０１ｂとし、該光出射面１０１ｂと対向する面には、光源からの光を対向する前記光出射面に向けて反射させるための手段として、その表面に複数の微小なシボ又は複数個の半球状ドット等の光拡散面１０１ａが形成されている
。
【０００４】
更に、前記光拡散面１０１ａに近接して白色シート等の反射板１０３を配設する。ＬＥＤ１０２から放射する光は導光体１０１に入り、大部分の光は上面（光出射面）１０１ｂでは全反射、下面では全反射又はシボもしくは半球状ドット等の光拡散面１０１ａによる散乱を１回又は複数回行った後に上面より外部へ出射する。この際一部の光は下面を透過して反射板１０３に入射するが、ここで反射されて再び導光部材１０１に入り、直接に又は反射を経た後に上面より外部に出射することになる。外部に出射した光は、液晶パネル１０７を透過し照明する。前記照明する面内の輝度の均一性を確保するために上記下面内のシボの粗さを調整したり、半球状ドットの形状、密度を場所により変えたりしていた。
【０００５】
【発明が解決しようとする課題】
しかしながら、前述した面状光源ユニットには次のような問題点がある。すなわち、シボの粗さを調整したり、半球状ドットの形状、密度を場所により変えたりすることにより照明の面内の輝度のある程度の均一性を調整することはできるが、これにも限度があり、導光部材の側面の一辺から放射される光はある程度の均一性を持った線状光源である必要があり、それを実現するためにはＬＥＤ等の点光源を複数配列させ線状光源に近似するようにせざるを得ない。すなわち、ＬＥＤが１個だけであると、その指向性のため、発光の強さはその方向により大幅に変化するので、その影響がどうしても照明光の輝度の不均一な分布として現れ、均質な照明が不可能となる。よって、多数のＬＥＤが必要となり、コストアップ、消費電流の増大を招くという問題があった。
【０００６】
本発明は従来技術における前記の問題点を改善することを課題とするものである。そして本発明は、かかる課題を解決し、エッジライト方式の面状光源ユニットにおいて光源として点光源に近い１個又は少ない個数のＬＥＤを用い、均一な面状の光束を出射することができるようにすることを目的とする。更に、本発明は、携帯ＴＶ、携帯電話器等の携帯情報機器において、面状光源ユニットとこれに近接して配置されるスピーカー等を含めた構成部品の平面的な配置の効率を上げ、これら情報機器の平面的形状の小型化に貢献することをも目的とする。これにより、照明光が均一であり、光源のコストおよび消費電力の低減がなされ、安価で、且つ平面的な配置効率も高い面状光源ユニットを提供することが可能となる。
【０００７】
【課題を解決するための手段】
上記の課題を解決するために、その第１の手段として、本発明は、透光材よりなり板状の形状をなし、第１の主面に四辺形の出光面を有し、該第１の主面と対向する第２の主面に光拡散手段を設けた導光部材と、該導光部材の側面に近接して配した光源とを有するエッジライト方式の面状光源ユニットにおいて、前記導光部材は前記出光面を有する部分に隣接して光路変換部分を有し、該光路変換部分に前記光源の出射光を屈折、反射する機能を有する１個以上の貫通孔又は盲孔を設け、前記光路変換部分の側面において前記光源と対向する部分の両側に反射部を設け、前記光路変換部分の平面形状は直角三角形の鋭頂角の一部を切り欠いて生じた辺を有する非対称な変形四辺形であり、前記切り欠いて生じた辺に対向して前記光源を配し、前記光路変換部分の側面の反射部は、前記直角三角形の鋭頂角を切り欠いて生じた辺の両側の前記導光部材の側面に設けられ、導光部材の厚み方向に略平行な略円弧状の複数の溝よりなることを特徴とする。
【００１０】
上記の課題を解決するために、その第２の手段として、本発明は、第１の手段において、前記光路変換部分の側面の前記反射部の略円弧状の溝は前記光源から遠くなるほど密に配置されていることを特徴とする。
【００１１】
上記の課題を解決するために、その第３の手段として、本発明は、前記第１の手段又は第２の手段において、前記導光部材の前記出光面を有する部分の側面のうち、前記光源に近い一方の側面には、シボ又は複数個の半球状ドットのくぼみよりなる光散乱手段を設けたことを特徴とする。
【００１２】
上記の課題を解決するために、その第４の手段として、本発明は、前記第１の手段乃至第３の手段のいずれかにおいて、前記導光部材の第２の主面に設けた光拡散手段は、シボ又は複数個の半球状ドットのくぼみであることを特徴とする。
【００１３】
上記の課題を解決するために、その第５の手段として、本発明は、前記第１の手段乃至第４の手段のいずれかにおいて、前記導光部材において、前記四辺形の出光面を有する部分の長い方の辺に接続して、前記光路変換部分を設けたことを特徴とする。
【００１４】
上記の課題を解決するために、その第６の手段として、本発明は、前記第１の手段乃至第４の手段のいずれかにおいて、前記導光部材において、前記四辺形の出光面を有する部分の短い方の辺に接続して、前記光路変換部分を設けたことを特徴とする。
【００１５】
上記の課題を解決するために、その第７の手段として、本発明は、前記第１の手段乃至第６の手段のいずれかにおいて、前記光源はＬＥＤであることを特徴とする。
【００１６】
上記の課題を解決するために、その第８の手段として、本発明は、前記第１の手段乃至第７の手段のいずれかに係る面状光源ユニットを使用した表示装置において、前記導光部材の光路変換部分の前記光源と対向する部分の両側の側面のうちの長い方の側面に対向する位置に面状光源ユニット以外の他の部品を配置したことを特徴とする。
【００１７】
【発明の実施の形態】
以下に、図面に基づいて本発明の一実施の形態を説明する。本実施の形態は入射光を左右に振り分ける作用を有する貫通穴を有する導光部材とその貫通穴に対向するＬＥＤを備えた面状光源ユニットに関するものである。図１は本実施の形態に係る面状光源ユニットの構成を示す斜視図である。図１において１０は面状光源ユニットであり、導光部材１と光源であるＬＥＤ２および反射板３により構成されている。
【００１８】
導光部材１は光学プラスチック材料等の透光材よりなり、板状をなし、平面形状が四辺形Ａ１Ａ２Ａ３Ａ４の光出射部１１と、平面形状が略直角三角形の光路変換部１２とよりなり、前記照明光出射部１１の四辺形の１辺（Ａ３ーＡ４）が、同時に光路変換部１２の略直角三角形の直角を挟む一方の辺であるような形で、光出射部１１と光路変換部１２が接続された状態となっている。図１に示す実施の形態においては、導光部材１はこれらを一体として射出成形等により形成されるのであるが、これらを別々に形成した後、互いに接合して導光部材１を形成してもよい。
【００１９】
前記光出射部１１はその上面は滑らか出光面１１ｂとなっており、出光面１１ｂに対向する出射部下面１１ａは、その表面に複数の微小なシボ又は複数個の半球状ドットのくぼみ等を有する光拡散面となっている。前記光路変換部１２にはその突き出した部分が面取りされて面取り部１２ｃが形成されている。５は入射部であり、面取り部１２ｃに設けられ、半円形の逃げ部をなす。２はＬＥＤであり、ＬＥＤ基板１３に保持されている。ＬＥＤ２が入射部５の逃げ部内に配置されるようにして、ＬＥＤ基板１３が前記面取り部１２ｃに接合されている。
【００２０】
光路変換部１２には、光屈折及び光反射する機能を有する略逆三角形の平面形状を有する貫通穴８がＬＥＤ２の略直上に設けられている。そして貫通穴８の形状はＬＥＤ２に対向する三角形の頂点にあたる部分（ｐ１〜ｐ２間）は丸められた曲面をなす先端曲面８ｂをなし、その先端曲面８の両側にＬＥＤ２に面する反射側面８ａ１、８ａ２が設けられている。反射側面８ａ１、８ａ２は放物面とすることができ、この場合は、放物面の焦点から出た光は放物面に当たると全反射により、放物面の軸線に平行な光となる。従って、ＬＥＤ２を反射側面８ａ１、８ａ２の共通の焦点の近傍に配置することにより、これら反射側面を反射した光を殆ど平行光線として左右に振り分けることができる。前記貫通穴８には、前記先端曲面８ｂと対向して平面状の底辺側面８ｃが設けられている。
【００２１】
前記入射部５の設けられた面取り部１２ｃの両側の側面１２ｄ１、１２ｄ２には厚み方向に平行な複数の円弧溝よりなる反射部６が形成されている。この反射部６の溝は光源のＬＥＤ２ら遠ざかるほど密に配置させている。なお、本例に示した反射部は円弧溝よりなるものであるが、この代わりに乱反射を起こす粗面等を部分的又は全体的に側面に形成することにより、反射部としてもよい。側面１２ｄ１の延長上にある光出射部１１の側面１１ｄはその表面に複数の微小なシボ又は複数個の半球状ドットのくぼみ等を有する光拡散面としてもよい。
【００２２】
前記光出射部１１の出射部下面１１ａに接近して白色シート等の反射板３を配設することは従来技術と同様である。反射板３により、出射部下面１１ａから外部に漏れて出射した光を反射させ、前記光出射部１１に再び入射ささせる。この反射板３の代わりに銀蒸着膜等を前記出射部下面光拡散面１ａに付着させても同様の効果が得られる。又、図示は省略するが、必要に応じて、前記円弧溝よりなる反射部６が形成されている側面１２ｄ１、１２ｄ２もしくはその他の側面に対向又は接触して、反射シートや銀蒸着等による反射部材を設けることもできる。上記した逆三角形の貫通穴８以外に、その左右の所望の位置に図示しない複数個の貫通穴又は盲穴を形成し、自由に光の放射方向を調整することができる。なお、本実施の形態に用いるＬＥＤ２はＲ、Ｇ、Ｂのいずれか１色のＬＥＤであってもよいし、又、白色ＬＥＤであってもよい。
【００２３】
以上の構成により、本実施の形態に係る面状光源ユニットの作用につき説明する。図１に示すように前記ＬＥＤ２から射出する光は入射部５から導光部材１の光路変換部分１２に入り、貫通穴８の前記先端曲面８ｂに入射した光は、当該曲面を屈折により通過した後、貫通穴８内を通過し、反対側の底辺側面８ｃを屈折により通過して再び導光部材１内に入った後、光出射部１１に達し、出光面１１ｂで全反射、これと対向する出射部下面１１ａで全反射又は乱反射されて最終的には出光面から照明光９として外部に射出する。ここで、先端曲面８ｂに対する光の入射角は最大の場合でも、導光部材１の（空気に対する）臨界角θｃより小となるように先端曲面の位置および寸法が設定されている。
【００２４】
貫通穴８の前記先端曲面８ｂの両側の反射側面８ａ１、８ａ２に入射した光は当該側面において全反射されて左右に振り分けられ、前記円弧溝よりなる反射部６により反射された後、光出射部１１に達し、上記と同様の原理により最終的には出光面１１ｂから照明光９として外部に射出する。なお、反射側面８ａ１で全反射された光に一部は光出射部１１の光拡散面をなす側面１１ｄに入射し、乱反射により光出射部１１内に入射した後、上記と同様の原理により最終的には出光面１ｂから照明光９として外部に射出する。ここで、反射側面８ａ１、８ａ２に対する光の入射角は最小の場合でも、導光部材１の（空気に対する）臨界角θｃより大となるように反射側面８ａ１、８ａ２の寸法、形状が設定されている。なお、反射部６に入射する光の輝度は立体角の関係でＬＥＤから遠ざかるほど低下する傾向にある。しかし、前記のように、反射部６の複数の溝の密度はＬＥＤ２から遠ざかるほど密となっているので反射部６から導光部材１内に反射される光の輝度はその左右の端部近傍においても低下しないようになっている。
【００２５】
ＬＥＤ２から射出し入射部５から入射した光のうち貫通穴８から外れてその両側に入射した光は直接に前記照明光出射部１１に達し、上記と同様の原理により最終的には出光面１ｂから照明光９として外部に射出する。このようにして、ＬＥＤ２から入射部５を経て導光部材１の光路変換部分１２に入射した光は上記の３種類のルートを経て出光面１１ｂから射出して全体として照明光となるのであるが、各ルートによる出射光に関しては、それぞれ次のような特性がある。
【００２６】
すなわち、先端曲面８ｂを通過する光を第１のルートの光、反射側面８ａ１、８ａ２で反射された光を第２のルートの光、貫通穴８から外れてその両側に入射した光を第３のルートの光とするならば、第１のルートの光による出光面１ｂからの照明光９の輝度は出光面１１ｂの中央部で大きく、両側部で小さい。第２のルートの光による出光面１１ｂからの出射光９の輝度は出光面１１の中央部で小さく、両側部で大きい。第２のルートの光による出光面１１ｂからの出射光９の輝度は出光面１１ｂの中央部で小さく、両側部で大きい。そこで、前記第２および第３のルートの光の量に対し第１のルートの光の量の割合を適切に選定することにより、互いにその輝度の特性を補完し合うようにすることにより、出光面１１ｂ全体における照明のための出射光の輝度を均一又は略均一のものとすることができる。
【００２７】
このような輝度のバランスは、例えば、前記貫通穴８の先端曲面８ｂと反射側面８ａ１、８ａ２の寸法比率および、前記側面１２ｄ１、１２ｄ２と貫通穴８の距離を適切に選択することにより達成することができる。又、この際、照明光の輝度の均一化のために光出射部１１の下面である出射部下面１１ａの光拡散面のシボの粗さを変えたり、半球状ドットのくぼみの形状、密度を場所により変えたりすることは従来技術と同様の作用をなすものである。
【００２８】
次に、本願の発明に係る面状光源ユニットを用いた表示装置の構成につき図面を用いて説明する。図２は図１に示す面状光源ユニット１０を用いた液晶表示装置の要部の構成を示す図であり、（ａ）はその上面図、（ｂ）は側面図である。図２において、７は液晶パネル、１５はスピーカー、１７は回路基板である。ここで図２（ａ）においては、便宜上、液晶パネル７および反射板３の図示は省略してある。図２（ｂ）に示すように、液晶パネル７は導光部材１の光出射部１１の出光面１１ｂの上方に重ねられて配置され、出光面１１ｂからの均一な照明光９により、輝度ムラのない照明がなされる。
【００２９】
スピーカー１５は回路基板１７上において、導光部材１の光路変換部１２の斜辺にあたる側面１２ｄ２に対向、近接した位置に配置されている。図２（ａ）に示すように、本例の配置によれば、平面的に空いたスペース内にスピーカー１５が収納できる。これは、光路変換部１２の平面形状が略直角三角形をなし、その斜辺に対向する部分にかなりの空いたスペースが生ずるからである。参考までに、図２（ａ）の１点鎖線は、光路変換部１２が二等辺三角形の場合の外形の位置を示すが、この場合は空いたスペースを十分に取ることは困難となる。このように、本例においては、図１に示した面状光源１ユニットを用いることにより、スピーカー１５を効率よく平面的に空いたスペースに配置することができるので、薄型で、平面的にも小型で、携帯ＴＶ、携帯電話器等に適した液晶表示装置を提供することができる。なお、本発明はこれに限らず、上記の空いたスペースにトランスその他の構成部品を効率よく配置することもできる。
【００３０】
次に、図３は図２に示す液晶表示装置の変型例を示す上面図である。図２に示す液晶表示装置の導光部材１の平面形状は光射出部１１の四辺形Ａ１Ａ２Ａ３Ａ４の長い方の辺Ａ３Ａ４に光路変換部１２が接続された形となっているが、図３に示す液晶表示装置の導光部材１の平面形状は光射出部１１の四辺形Ａ１Ａ２Ａ３Ａ４の短い方の辺Ａ２Ａ３に光路変換部１２が接続された形となっている。図３において、液晶表示装置の各構成要素の記号は図２（ａ）の場合と同様である。図３に示すように、本例の場合も平面的に空いたスペース内にスピーカー１５が収納できる。そして本例の場合は、比較的、縦横比の大きい平面形状の液晶表示装置を構成するのに適している。
【００３１】
以下に、図面に基づいて本発明の他の一つ実施の形態を説明する。本実施の形態は図１に示した面状光源ユニットの変型例に関するものである。図４は本実施の形態に係る面状光源ユニットの構成を示す図であり、（ａ）は上面図、（ｂ）は（ａ）のＡーＡ断面図である。図４において、４は光路変換部１２に設けられた平面形状が略逆三角形である盲穴であり、その三角形の頂点の一つはＬＥＤ２に対向し、先端は尖っており、丸められていない。三角形のＬＥＤ２に対向する盲穴４の反射側面４ａ１、４ａ２は別個の略放物面で共通の焦点を有し、その焦点の近傍に前記ＬＥＤ２が配設されている。図４（ｂ）に示すように、光路変換部１２の底面１２ａはその表面に複数の微小なシボ又は複数個の半球状ドットのくぼみ等よりなるなる光拡散面となっており、盲穴４の下側において盲穴４の底面４ｃと光路変換部分の前記底面１２ａの間はバイパス部１２ｆが存在している。その他の構成および構成要素の記号については図１示したのと同様である。
【００３２】
以上の構成により、本実施の形態に係る面状光源ユニットの作用につき説明する。図４（ａ）に示すように前記ＬＥＤ２から射出する光は入射部５から導光部材１の光路変換部分１２に入り、図４（ｂ）に示すように盲穴４の下側においてバイパス部１２ｆに入射した光は盲穴４の底面４ｃとこれに対向する光路変換部１２の底面１２ａの間で反射を繰り返しながら、又は反射をすることなく直接に照明光出射部１１に入り、その後はすでに説明したのと同様の原理により最終的に出光面より照明光９を射出する。
【００３３】
バイパス部１２ｆの上において、盲穴４の前記反射側面４ａ１、４ａ２に入射した光は図４（ａ）に示すように、当該側面において全反射されて左右に振り分けられ、すでに説明したのと同様の原理により、反射部６により反射された後、最終的には出光面１１ｂから照明光９として外部に射出する。盲穴４から外れてその両側に入射した光は直接に前記光出射部１１に達し、すでに説明したのと同様の原理により最終的には出光面１１ｂから照明光９として外部に射出する。
【００３４】
ここで、バイパス部１２ｆを通過する光による照明光の輝度は出光面１１ｂの中央部で大きく、両側部で小さい。これに対し、反射側面４ａ１、４ａ２を経た光および盲穴４から外れてその両側に入射したによる照明光の輝度は出光面１１ｂの中央部で大きく、両側部で小さい。そこで、バイパス部１２ｆを通過する光の量に対しそれ以外のルートによる光の量の割合を適切に選定することにより、互いにその輝度の特性を補完し合うようにすることにより、出光面１ｂ全体における照明のための出射光の輝度を均一又は略均一のものとすることができる。このような輝度のバランスは、図４（ｂ）に示す前記盲穴４の深さｔ１とバイパス部１２ｆの厚みｔ２の比率、盲穴４とＬＥＤ２の距離、反射側面４ａ１、４ａ２寸法を適切に選択することにより達成することができる。本例の面状光源ユニット１０の外形形状は図１に示した面状光源ユニット１０と同様であり、これと同様の理由により、スペース効率を高めることができる。
【００３５】
以上に説明した本発明の実施の形態については、導光部材の側面に１個のＬＥＤを配置した面状光源ユニットにつき述べたが、本発明はこれに限らず、入射部に、例えばＲ、Ｇ、Ｂの３色のＬＥＤを面状光源ユニットの厚み方向に重ねて配列するような構成とすることも可能である。
【００３６】
【発明の効果】
以上に述べたように本発明によれば、１個又は小数個のＬＥＤ等の点状を備えたエッジライト方式の面状光源ユニットにおいて、導光部材の出光部分に隣接して、左右非対称な略三角形の光路変換部分を設け、該光路変換部分に入射光を左右に振り分けるとともに、一部を通過させる作用を有する貫通穴又は盲穴を設けるとともに、前記振り分けられた光の反射部を設けることにより、光源からの光を、効率よい光路変換により全体として一様に広げ、前記出光部分の出光面から輝度の均一な照明光を出射することができるようにする。これにより、照明光が均一であり、光源のコストおよび消費電力の低減がなされ、安価で、且つ平面的な配置効率も高い面状光源ユニットを提供することが可能となる。そして、かかる面状ユニットを用いることにより、スピーカー等を備え、平面寸法が小さく、厚さも薄い液晶表示装置等の表示装置を提供することが可能となる。
【図面の簡単な説明】
【図１】本発明の一実施の形態に係る面状光源ユニットの構成を示す斜視図である。
【図２】図１に示す面状光源ユニットを用いた液晶表示装置の要部の構成を示す上面図および側面図である。
【図３】図２に示す液晶表示装置の変型例の要部の構成を示す上面図である。
【図４】本発明の他の一つの実施の形態に係る面状光源ユニットの構成を示す上面図および断面図である。
【図５】従来の面状光源ユニットの構成を示す斜視図である。
【図６】図５に示す面状光源ユニットの断面図である。
【符号の説明】
１  導光部材
２  ＬＥＤ
３  反射板
４  盲穴
４ａ１、４ａ２、８ａ１、８ａ２  反射側面
５  入射部
６  反射部
７  液晶パネル
８  貫通穴
８ｂ  先端曲面
９  照明光
１０  面状光源ユニット
１１  光出射部
１１ａ  出射部下面
１１ｂ  出光面
１１ｄ、１２ｄ１、１２ｄ２  側面
１２  光路変換部
１２ｃ  面取り部
１２ｆ  バイパス部
１３  ＬＥＤ基板
１５  スピーカー
１７  回路基板
【図１】
0004279952.tif 000002
【図２】
0004279952.tif 000003
【図３】
0004279952.tif 000004
【図４】
0004279952.tif 000005
【図５】
0004279952.tif 000006
【図６】
0004279952.tif 000007